【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
発光素子と、ドレイン・ソース間に駆動電圧が印加されることで上記発光素子に対してゲート・ソース間電圧に応じた電流印加を行う駆動トランジスタと、導通されることで信号線電圧を上記駆動トランジスタのゲートに入力するサンプリングトランジスタと、上記駆動トランジスタのゲート・ソース間に接続され上記駆動トランジスタの閾値電圧と入力された映像信号電圧とを保持する保持容量と、を有する画素回路が、マトリクス状に配置されて成る画素アレイと、
上記画素アレイの各画素回路について複数の水平ラインを１つのユニットとしたときに、１ユニットの水平ライン数に対応する水平期間において、上記画素アレイ上で列状に配設される各信号線に、上記信号線電圧として、閾値補正基準電圧及びユニット内の各画素回路のそれぞれに対する映像信号電圧を供給する信号セレクタと、
上記画素アレイ上で行状に配設される各電源制御線に電源パルスを与え、上記画素回路の上記駆動トランジスタへの駆動電圧の印加を行う駆動制御スキャナと、
上記画素アレイ上で行状に配設される各書込制御線に走査パルスを与えて上記画素回路の上記サンプリングトランジスタを制御するとともに、１つのユニット内の各画素回路に対する上記走査パルスにより、各画素回路で１発光サイクルの期間内に同時に閾値補正動作が実行されるように上記閾値補正基準電圧を各画素回路に入力させ、閾値補正動作完了後に、ユニット内の各水平ラインの画素回路毎に順次、映像信号電圧を入力させる書込スキャナと、
を備えるとともに、
上記信号セレクタは、上記信号線への映像信号電圧の出力として、ユニット内の先頭ラインから終了ラインへの順番での映像信号電圧の供給と、ユニット内の終了ラインから先頭ラインへの順番での映像信号電圧の供給とを、交互に実行していき、
上記書込スキャナは、各ユニットの画素回路に対して、ユニット内の先頭ラインから終了ラインへの順番での映像信号電圧の入力と、ユニット内の終了ラインから先頭ラインへの順番での映像信号電圧の入力とが交互に行われるように、各書込制御線へ上記走査パルスを出力する表示装置。
【請求項２】
上記書込スキャナは、各画素回路において１発光サイクルの期間内に複数回の閾値補正動作が行われるようにする上記走査パルスを出力する請求項１に記載の表示装置。
【請求項３】
発光素子と、ドレイン・ソース間に駆動電圧が印加されることで上記発光素子に対してゲート・ソース間電圧に応じた電流印加を行う駆動トランジスタと、導通されることで信号線電圧を上記駆動トランジスタのゲートに入力するサンプリングトランジスタと、上記駆動トランジスタのゲート・ソース間に接続され上記駆動トランジスタの閾値電圧と入力された映像信号電圧とを保持する保持容量と、を有する画素回路が、マトリクス状に配置されて成る画素アレイと、
上記画素アレイの各画素回路について複数の水平ラインを１つのユニットとしたときに、１ユニットの水平ライン数に対応する水平期間において、上記画素アレイ上で列状に配設される各信号線に、上記信号線電圧として、閾値補正基準電圧及びユニット内の各画素回路のそれぞれに対する映像信号電圧を供給する信号セレクタと、
上記画素アレイ上で行状に配設される各電源制御線に電源パルスを与え、上記画素回路の上記駆動トランジスタへの駆動電圧の印加を行う駆動制御スキャナと、
上記画素アレイ上で行状に配設される各書込制御線に走査パルスを与えて上記画素回路の上記サンプリングトランジスタを制御するとともに、１つのユニット内の各画素回路に対する上記走査パルスにより、各画素回路で１発光サイクルの期間内に同時に閾値補正動作が実行されるように上記閾値補正基準電圧を各画素回路に入力させ、閾値補正動作完了後に、ユニット内の各水平ラインの画素回路毎に順次、映像信号電圧を入力させる書込スキャナと、
を備えた表示装置における表示駆動方法として、
上記信号セレクタが、上記信号線への映像信号電圧の出力として、ユニット内の先頭ラインから終了ラインへの順番での映像信号電圧の供給と、ユニット内の終了ラインから先頭ラインへの順番での映像信号電圧の供給とを、交互に実行していき、
上記書込スキャナが、各ユニットの画素回路に対して、ユニット内の先頭ラインから終了ラインへの順番での映像信号電圧の入力と、ユニット内の終了ラインから先頭ラインへの順番での映像信号電圧の入力とが交互に行われるように、各書込制御線へ上記走査パルスを出力することで、
各画素回路において入力された映像信号電圧に応じた輝度の発光が行われるようにする表示駆動方法。
【請求項４】
画素回路がマトリクス状に配置されて成る画素アレイを備え、
上記画素アレイは、
上記画素アレイの各画素回路について複数の水平ラインを１つのユニットとしたときに、
ユニット内の各画素回路で同時に基準電圧を入力し、
上記基準電圧の入力後に、ユニット内の各水平ラインの画素回路で映像信号電圧を入力し、
ユニット内の各水平ラインの画素回路における上記映像信号電圧の入力の順番が、隣り合うユニットで互いに異なる表示装置。
【請求項５】
画素回路がマトリクス状に配置されて成る画素アレイを備え、
上記画素アレイは、
上記画素アレイの各画素回路について複数の水平ラインを１つのユニットとしたときに、
ユニット内の各画素回路で同時に基準電圧を入力し、
上記基準電圧の入力後に、ユニット内の各水平ラインの画素回路で映像信号電圧を入力し、
ユニット内の各水平ラインの画素回路における上記映像信号電圧の入力の順番が、隣り合うユニットで逆である表示装置。
【請求項６】
画素回路がマトリクス状に配置されて成る画素アレイを備え、
上記画素回路は、
発光素子と、
入力される基準電圧および映像信号電圧に応じた電流を流す駆動トランジスタとを有し、
上記画素アレイは、
上記画素アレイの各画素回路について複数の水平ラインを１つのユニットとしたときに、
ユニット内の各画素回路で同時に上記基準電圧を入力し、
上記基準電圧の入力後に、ユニット内の各水平ラインの画素回路で上記映像信号電圧を入力し、
ユニット内の各水平ラインの画素回路における上記映像信号電圧の入力の順番が、隣り合うユニットで互いに異なる表示装置。
【手続補正２】
【補正対象書類名】明細書
【補正対象項目名】００１８
【補正方法】変更
【補正の内容】
【００１８】
なお、この実施の形態の表示装置においては、本発明請求項でいう信号セレクタの例が水平セレクタ１１であり、駆動制御スキャナの例がドライブスキャナ１２であり、書込スキャナの例がライトスキャナ１３となる。
【手続補正３】
【補正対象書類名】明細書
【補正対象項目名】００２６
【補正方法】変更
【補正の内容】
【００２６】
このように基本的には、各フレーム期間において、画素回路１０において映像信号値（階調値）Ｖｓｉｇが保持容量Ｃｓに書き込まれる動作が行われ、これにより表示すべき階調に応じて駆動トランジスタＴｄのゲート・ソース間電圧Ｖｇｓが決まる。
そして駆動トランジスタＴｄは飽和領域で動作することで有機ＥＬ素子１に対して定電流源として機能し、ゲート・ソース間電圧Ｖｇｓに応じた電流を有機ＥＬ素子１に流すことで、各フレーム期間に有機ＥＬ素子１では映像信号の階調値に応じた輝度の発光が行われる。
【手続補正４】
【補正対象書類名】明細書
【補正対象項目名】００３０
【補正方法】変更
【補正の内容】
【００３０】
図３のタイミングチャートにおける時点ｔｓは、発光素子である有機ＥＬ素子１が発光駆動される１サイクル、例えば画像表示の１フレーム期間の開始タイミングとなる。
まず、時点ｔｓで電源パルスＤＳ＝初期電位Ｖｉｎｉとされる。
【手続補正５】
【補正対象書類名】明細書
【補正対象項目名】００３７
【補正方法】変更
【補正の内容】
【００３７】
その後、期間ＬＴ８を経て、信号線電圧が映像信号電圧Ｖｓｉｇとなっている期間ＬＴ９に、ライトスキャナ１３が走査パルスＷＳをＨレベルとし、映像信号電圧Ｖｓｉｇの書込及び移動度補正が行われる。即ち駆動トランジスタＴｄのゲートに映像信号電圧Ｖｓｉｇが入力される。
【手続補正６】
【補正対象書類名】明細書
【補正対象項目名】００６４
【補正方法】変更
【補正の内容】
【００６４】
各ラインの画素回路１０に対しての走査パルスＷＳ及び電源パルスＤＳによる駆動は次のようになる。
本実施の形態の場合、奇数番目のユニットと偶数番目ユニットで、ユニット内の各ラインでの映像信号電圧Ｖｓｉｇの書込順序を反転させる。
ここではユニットＵ１、Ｕ３、Ｕ５・・・は、ユニット内の先頭ラインから終了ラインに順番に映像信号電圧の書込を行わせる。そしてユニットＵ２、Ｕ４、Ｕ６・・・では、逆にユニット内の終了ラインから先頭ラインに順番に映像信号電圧の書込を行わせることとする。
【手続補正７】
【補正対象書類名】明細書
【補正対象項目名】００７１
【補正方法】変更
【補正の内容】
【００７１】
図９にライトスキャナにおいて、映像信号電圧Ｖｓｉｇの書込のための走査パルスＷＳを出力するための構成部分（走査パルス出力経路）のみを示している。
タイミングジェネレータ５０は、パルスＰ１，Ｐ２，Ｐ３をそれぞれ所定タイミングで出力する。このパルスＰ１，Ｐ２，Ｐ３は、図８の時点ｔ１５，ｔ１７，ｔ１９の走査パルスとなるタイミング間隔及びパルス幅のパルスとなる。
【手続補正８】
【補正対象書類名】明細書
【補正対象項目名】００７２
【補正方法】変更
【補正の内容】
【００７２】
パルスＰ１，Ｐ２，Ｐ３は、それぞれシフトレジスタ５１，５２，５３に供給される。
シフトレジスタ５１〜５９は、それぞれ入力されたパルスを３Ｈ期間遅延させて出力する。
シフトレジスタ５１，５２，５３の出力は、ラインドライバ７１、７２，７３、及びシフトレジスタ５６，５５，５４に供給される。
シフトレジスタ５６，５５，５４の出力は、ラインドライバ７６、７５，７４、及びシフトレジスタ５９，５８，５７に供給される。
シフトレジスタ５７，５８，５９の出力は、ラインドライバ７７、７８，７９、及び図示しない次ユニットに対応する３つのシフトレジスタに供給される。
ラインドライバ７１〜７９は、それぞれ書込制御線ＷＳＬ１〜ＷＳＬ９に対し、入力されたパルスに応じて走査パルスＷＳ１〜ＷＳ９を出力する。
【手続補正９】
【補正対象書類名】明細書
【補正対象項目名】００７３
【補正方法】変更
【補正の内容】
【００７３】
この構成の場合、ユニットＵ１に対するラインドライバ７１、７２，７３は、パルスＰ１，Ｐ２，Ｐ３が入力されたときは、書込制御線ＷＳＬ１、ＷＳＬ２、ＷＳＬ３上に、図８の時点ｔ１５，ｔ１７，ｔ１９の各走査パルスＷＳ１、ＷＳ２、ＷＳ３として出力する。
またユニットＵ２に対するラインドライバ７４、７５，７６は、シフトレジスタ５４，５５，５６からのパルスＰ３，Ｐ２，Ｐ１が入力されたときは、書込制御線ＷＳＬ４、ＷＳＬ５、ＷＳＬ６上に、図８の時点ｔ２７，ｔ２５，ｔ２３の各走査パルスＷＳ４、ＷＳ４、ＷＳ６を出力する。つまり、時間的にみれば、走査パルスＷＳ６、ＷＳ５、ＷＳ４の順番でパルス出力を行う。
【手続補正１０】
【補正対象書類名】明細書
【補正対象項目名】００７５
【補正方法】変更
【補正の内容】
【００７５】
なお、この図９では、閾値補正動作のための走査パルスＷＳの出力の際の経路は無視して示した。閾値補正動作のための走査パルスＷＳの出力時は、パルスＰ１，Ｐ２，Ｐ３はタイミングジェネレータ５０から同時に同パルス幅のパルスとして出力される。そして、シフトレジスタ５１〜５９（及び図示していない後続のシフトレジスタ）では、転送経路が図示しないスイッチ構成で切り換えられ、通常の順序でパルスが３Ｈ毎遅らされて転送されることになる。例えばシフトレジスタ５１，５２，５３の出力は、シフトレジスタ５４，５５，５６に供給されるように、各シフトレジスタ間の転送経路が切り換えられる。
【手続補正１１】
【補正対象書類名】明細書
【補正対象項目名】００８０
【補正方法】変更
【補正の内容】
【００８０】
以上の本実施の形態によれば、ＳＴＣ駆動方式によって閾値補正期間の確保の点での有利性を得つつ、図７に示したような画面上のスジを解消できる。
これによって、ハイフレームレート化、大パネル化に対して適切に対応できる表示駆動方式とすることができる。